【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
張力の下で、可撓性の膜支持部材によって、縁部の周囲で保持される弾性膜と；
前記膜の一面と接触する流体であって、膜を膨張させることにより前記膜の形状を調節するように前記流体の圧力が制御可能な流体と；
前記膜の張力による負荷に応じて前記一次曲げ軸に垂直な平面における前記支持部材の曲がりを制御するよう前記支持部材上に作用するひとつ以上の曲がり制御装置とを備え；
前記膜支持部材は、前記膜の膨張方向に平行な一次曲げ軸上の局所的な撓みによって曲がり、前記膜の縁部の外郭形状を膜が膨張するにつれて変化させるように構成された；
変形可能膜アセンブリ。
【請求項２】
前記流体は調節可能な容積のエンベロープ内に収容され、前記アセンブリが、前記エンベロープの容積を調節して前記流体の圧力を制御するための選択的に動作可能な調節器を備える、
請求項１に記載の変形可能膜アセンブリ。
【請求項３】
前記エンベロープは固定支持に取り付けられ、前記調節器は、前記固定支持に対して前記エンベロープを圧縮または膨張させるよう動作可能である、
請求項２に記載の変形可能膜アセンブリ。
【請求項４】
前記流体は実質的に一定の容積のエンベロープ内に収容され、前記アセンブリは、前記エンベロープから流体を注入または排出し、それによって、前記流体の圧力を制御するための選択的に動作可能な調節器を備える、
請求項１に記載の変形可能膜アセンブリ。
【請求項５】
前記膜が非円形である、
請求項１乃至請求項４のいずれか１項に記載の変形可能膜アセンブリ。
【請求項６】
前記ひとつ以上の曲がり制御装置は、前記一次曲げ軸上よりも前記一次曲げ軸に垂直な平面内でより大きい程度に前記支持部材の剛性を高める、
請求項１乃至請求項５のいずれか１項に記載の変形可能膜アセンブリ。
【請求項７】
前記ひとつ以上の曲がり制御装置は、前記一次曲げ軸上の前記支持部材の撓みに著しく影響を及ぼすことなく、前記一次曲げ軸に垂直な平面における前記膜支持部材の変形に抗するように構成された、
請求項１乃至請求項６のいずれか１項に記載の変形可能膜アセンブリ。
【請求項８】
前記ひとつ以上の曲がり制御装置は、前記支持部材が、前記アセンブリの作動時に制御された方法で、前記一次曲げ軸に垂直な方向で曲がることを許容する、
請求項１乃至請求項６のいずれか１項に記載の変形可能膜アセンブリ。
【請求項９】
前記ひとつ以上の曲がり制御装置は補強ダイヤフラムを備える、
請求項１乃至請求項８のいずれか１項に記載の変形可能膜アセンブリ。
【請求項１０】
前記補強ダイヤフラムは前記流体内に配設されたプレートを備え、前記プレートには、それを貫通して延在するひとつ以上のアパーチャが形成され、
前記プレートは、前記膜の縁部と実質的に同じ形状のプレートを備え、膜支持部材に堅固に固定された、
請求項９に記載の変形可能膜アセンブリ。
【請求項１１】
前記プレートは、２つの相互に横断する軸に沿って前記一次曲げ軸の方向に撓むよう構成された、
請求項１０に記載の変形可能膜アセンブリ。
【請求項１２】
前記プレートは、前記膜が平面の場合に変形に抗して前記プレートを補強するように働くひとつ以上の垂れ下がるように形成されたリブを担持する、
請求項１０又は請求項１１に記載の変形可能膜アセンブリ。
【請求項１３】
前記１以上のリブは、前記支持部材が前記アセンブリの作動時に変位しない点において、またはその近傍において前記プレートに結合された、
請求項１２に記載の変形可能膜アセンブリ。
【請求項１４】
前記リブは、前記膜が作動時に変位しない輪郭に追従する、
請求項１３に記載の変形可能膜アセンブリ。
【請求項１５】
前記プレートを横断して延在するひとつ以上の線形リブが備えられる、
請求項１３に記載の変形可能膜アセンブリ。
【請求項１６】
前記アセンブリは、前記プレートを座屈に抗して補強するために、１以上の固定部品を備え、前記１以上のリブは、前記固定部品のうちの１以上と係合する、
請求項１２乃至請求項１５のいずれか１項に記載の変形可能膜アセンブリ。
【請求項１７】
前記ひとつ以上の曲がり制御装置は、前記膜支持部材の反対側の区間または領域の間に延在する複数の支柱を備える、
請求項１乃至請求項８のいずれか１項に記載の変形可能膜アセンブリ。
【請求項１８】
前記ひとつ以上の曲がり制御装置は複数のレバーを備え、各レバーは、一方の端部で前記膜または膜支持部材に固定され、他方の端部で前記アセンブリのひとつ以上の固定部品に固定され、各レバーは、前記一次曲げ軸上の撓みによる前記支持部材の自在な曲がりを許容し、前記曲げ軸に垂直な平面における前記支持部材の制御された変形を許容する、
請求項１乃至請求項８のいずれか１項に記載の変形可能膜アセンブリ。
【請求項１９】
前記ひとつ以上の曲がり制御装置は、前記膜の周囲を取り巻いて円周方向に離間する複数のリンク機構を備え、各リンク機構は、前記膜または前記膜支持部材と前記アセンブリのひとつ以上の固定部品との間に接続された、
請求項１乃至請求項８のいずれか１項に記載の変形可能膜アセンブリ。
【請求項２０】
各リンク機構は、前記一次曲げ軸上の撓みによる前記膜支持部材の曲がりを許容するが、前記一次曲げ軸に垂直な平面における前記支持部材の変形に抗するよう構成された、
請求項１９に記載の変形可能膜アセンブリ。
【請求項２１】
各リンク機構は、前記一次曲げ軸上の撓みによる前記膜支持部材の曲がりを許容し、前記一次曲げ軸に垂直な平面における前記支持部材の制御された変形を許容するよう構成された、
請求項１９に記載の変形可能膜アセンブリ。
【請求項２２】
前記支柱またはリンク機構は、前記膜支持部材の範囲周辺の異なる量の面内変位を許容するよう構成された、
請求項１８または請求項２１に記載の変形可能膜アセンブリ。
【請求項２３】
前記ひとつ以上の曲がり制御装置は複数のばね部材を備え、前記ばね部材のそれぞれは、一方の端部で前記膜支持部材に接続され、他方の端部で適切な制約境界に接続された、
請求項１乃至請求項８のいずれか１項に記載の変形可能膜アセンブリ。
【請求項２４】
前記ひとつ以上の曲がり制御装置は前記膜支持部材と係合された摺動部であって、前記アセンブリの作動時に前記支持部材の移動を前記摺動部に沿った所定の軌跡に規制する複数の摺動部を備える、
請求項１乃至請求項８のいずれか１項に記載の変形可能膜アセンブリ。
【請求項２５】
前記ひとつ以上の曲がり制御装置は、前記膜支持部材を取り巻く離間された位置に配設される複数の曲げることのできるロッドを備え、各ロッドは、前記一次曲げ軸と整列され、一方の端部で前記支持部材に接続され、前記アセンブリの固定部品に堅固に固定されて前記一次曲げ軸上の前記ロッドの摺動を許容する取付け部材と摺動自在に係合され、各取付け部材は、前記アセンブリが作動しない場合に前記ロッドが横方向に曲がることを防ぐよう配置されるフランジを含み；
前記配置では、各接続ロッドの一方の端部が前記フランジを越えて延在し、これにより現れる前記ロッドの部分が前記膜の表面の張力の下で前記一次曲げ軸を横断する平面において曲がるように、前記アセンブリの作動時に、前記一次曲げ軸上の撓みによる前記支持部材の曲がりにより、前記ロッドの１以上がそれらそれぞれの取付け部材に対して摺動するようになっている、
請求項１乃至請求項８のいずれか１項に記載の変形可能膜アセンブリ。
【請求項２６】
請求項１乃至請求項２５のいずれか１項に記載の変形可能膜アセンブリを備える、メガネ類の製品。